(57)【要約】      （修正有）【課題】焼き菓子等を載置する中箱上に、焼き菓子等を係止する舌片を一体に設け、さらに、これらの舌片のうち、最後尾と成る位置の舌片をその他の舌片よりも、物品を確実に支持出来るように設けた中箱を提供する。【解決手段】上面が開口した略直方体形状から成る底箱内に嵌め入れられる、上面が開口した略直方体形状から成る中箱において、中箱Ａの底板１上に、略逆Ｕ字形状又は半円形状の後方に向いた複数の切り込み４、５を設け、複数の切り込み４、５のうち、最後尾にある切り込み５上に、切り込み５の両端部を結ぶ線と平行な折り目ｃを設け、最後尾の切り込み５の両端部を結ぶ線で切り込み５を谷折りして立ち上げて傾斜舌片５ｂを設け、傾斜舌片５ｂを折り目ｃで山折りして折り込んでおき、この状態で中箱Ａを底箱に嵌め入れて、傾斜舌片５ｂの後端縁５ａを底箱上に当接させて立設し、傾斜舌片５ｂの上に焼き菓子を載置、係止する構成とした。【選択図】図２
0003198090.tif 000002
【実用新案登録請求の範囲】
【請求項１】
上面が開口した略直方体形状から成る底箱内に嵌め入れられる、上面が開口した略直方体形状から成る中箱において、
上記中箱の底板上に、略逆Ｕ字形状又は半円形状の後方に向いた複数の切り込みを設け、
上記複数の切り込みのうち、最後尾にある切り込み上に、当該切り込みの両端部を結ぶ線と略平行な折り目を設け、
上記底箱内に嵌め入れた上記中箱に物品を載置する際、上記最後尾の切り込みの両端部を結ぶ線で当該切り込みを谷折りして立ち上げて傾斜舌片を設け、当該傾斜舌片を上記折り目で山折りして折り込んで当該傾斜舌片の後端縁を上記底箱上に当接させて立設し、
当該傾斜舌片の上に物品を載置、係止する構成としたことを特徴とする、中箱。
【請求項２】
上面が開口した略直方体形状から成る底箱内に嵌め入れられる、上面が開口した略直方体形状から成る中箱において、
上記中箱の底板上に、略逆Ｕ字形状又は半円形状の左右の何れかの方向に向いた複数の切り込みを設け、
上記複数の切り込みのうち、左右何れかの最側部にある切り込み上に、当該切り込みの両端部を結ぶ線と略平行な折り目を設け、
上記底箱内に嵌め入れた上記中箱に物品を載置する際、上記左右何れかの最側部の切り込みの両端部を結ぶ線で当該切り込みを谷折りして立ち上げて傾斜舌片を設け、当該傾斜舌片を上記折り目で山折りして折り込んで当該傾斜舌片の左又は右側端縁を上記底箱上に当接させて立設し、
当該傾斜舌片の上に物品を載置、係止する構成としたことを特徴とする、中箱。
【請求項３】
上記中箱上の最後尾又は左右何れかの最側部の切り込みを、その他の切り込みよりも長く設けたことを特徴とする、上記請求項１又は２に何れかに記載の中箱。
【請求項４】
上記中箱上の最後尾の切り込みとして、
後端縁が当該中箱の底板から当該底板の後方に折り目を介して設けられた後側板上に至る略逆Ｕ字形状又は略半円形状の切り込みを設け、
上記切り込み上に、上記底板と上記後側板を分ける上記折り目と同一線上又は略平行線上に折り目を設けたことを特徴とする、上記請求項１又は３の何れかに記載の中箱。
【請求項５】
上記中箱上の左右何れかの最側部の切り込みとして、
左又は右側端縁が当該中箱の底板から当該左右何れかの側方に折り目を介して設けられた左右何れかの側板上に至る略逆Ｕ字形状又は略半円形状の切り込みを設け、
上記切り込み上に、上記底板と左右何れかの側板を分ける上記折り目と同一線上又は略平行線上に折り目を設けたことを特徴とする、上記請求項２又は３の何れかに記載の中箱。
【請求項６】
上記傾斜舌片の後端縁を上記底箱の底板と後側板によって形成される角部に突き合わせて当該傾斜舌片を立設する構成としたことを特徴とする上記請求項１、３又は４の何れかに記載の中箱。
【請求項７】
上記傾斜舌片の左又は右側端縁を上記底箱の底板と左右何れかの側板によって形成される角部に突き合わせて当該傾斜舌片を立設する構成としたことを特徴とする上記請求項２、３又は５の何れかに記載の中箱。
【請求項８】
上面が開口した略直方体形状から成る底箱内に嵌め入れられる、上面が開口した略直方体形状から成る中箱において、
上記中箱の底板上に、略逆Ｕ字形状又は半円形状の後方に向いた複数の切り込みを設け、
上記複数の切り込みのうち、最後尾にある切り込みとして、
当該中箱の底板から当該底板の後方に折り目を介して設けられた後側板上に至る、当該中箱の左右の側縁に略平行な相対向する二本の線により上記切り込みを設け、
上記二本の切り込みの各両端部を結ぶ、底板と後側板との折り目と略平行な線を夫々折り目として設け、
当該切り込み上に、上記底板と上記後側板を分ける上記折り目と同一線上又は略平行線上に折り目を設け、
上記二本の切り込みの各両端部を結ぶ線の折り目を夫々谷折りし、当該切り込み上の折り目を山折りして傾斜舌片を設けたことを特徴とする、中箱。
【請求項９】
上面が開口した略直方体形状から成る底箱内に嵌め入れられる、上面が開口した略直方体形状から成る中箱において、
上記中箱の底板上に、略逆Ｕ字形状又は半円形状の後方に向いた複数の切り込みを設け、
上記複数の切り込みのうち、左右何れかの最側部の切り込みとして、
当該中箱の底板から当該底板の左右何れかの側方に折り目を介して設けられた左右何れかの側板上に至る、
当該中箱の前後の側縁に略平行な相対向する二本の線により上記切り込みを設け、
上記二本の切り込みの各両端部を結ぶ、底板と左又は右側板との折り目と略平行な線を夫々折り目として設け、
当該切り込み上に、上記底板と左右の側板を分ける上記折り目と同一線上又は略平行線上に折り目を設け、
上記二本の切り込みの各両端部を結ぶ線の折り目を夫々谷折りし、当該切り込み上の折り目を山折りして傾斜舌片を設けたことを特徴とする、中箱。
【請求項１０】
上記中箱を底箱内に嵌め入れ、その上から蓋箱を被せたことを特徴とする、上記請求項１、２、３、４、５、６、７、８又は９の何れかに記載の中箱を用いた紙箱。
【考案の詳細な説明】
【技術分野】
【０００１】
この考案は、和洋菓子店等において、個別包装された焼き菓子などを詰めて持ち運ぶ際に使用する中箱及び当該中箱を用いた紙箱に関するものである。
【背景技術】
【０００２】
従来、和洋菓子店においては、生菓子の他、個別に包装した焼き菓子などを販売している。この様な焼き菓子を紙箱に詰める際には、紙箱の底に仕切り板を敷いて焼き菓子を詰めるようになっている。この様な仕切り板上には、複数の切り込みを設けて、これらの切り込みを立設して形成される舌片に上記焼き菓子を載置、係止すると、これらの焼き菓子が安定して、斜めにやや立ち上がり、見栄え良く配置されるようになっている。
【０００３】
この様な仕切り板の一例として、非特許文献１に記載されたものがある。この非特許文献１の仕切り板（ファンドパット）は、板体上に複数の同一の切り込みを並行に設けたものであり、これらの各切り込みを立設して舌片を形成している。
【０００４】
この非特許文献１では、下面が開口した略直方体形状から成る蓋箱、上面が開口した略直方体形状から成る底箱、及び上記底箱よりも高さが一段高く、上面が開口した中箱からなる、いわゆる印籠型の紙箱の上記中箱の底板上に上記仕切り板を敷いて使用している。
【先行技術文献】
【特許文献】
【０００５】
【非特許文献１】「やないの箱型録」の表紙、第１８頁、第１９頁、奥付                柳井紙工株式会社1993年7月20日発行
【０００６】
しかし、上記非特許文献１に記載の仕切り板の最後尾に位置する舌片に支持される焼き菓子の場合、前側から重ねられた他の焼き菓子の最下層となることがあり、その場合、箱内で当該焼き菓子が底に沈みやすく、底に沈むと、見栄えが悪く、また、焼き菓子の載置も安定したものとならない。
【０００７】
そこで、上記紙箱においては、箱内の最後尾の位置には、上記仕切り板とは別に中箱の底板上に、別途、方形状の厚紙片を二つ折りにして断面三角形状の枠体を形成し、上記非特許文献１の複数の切り込みによって形成される舌片よりも大きな、通称まくら（枕、以下「まくら」と言う。）と呼ばれる部材等を箱内の底板上に置いて、その上に焼き菓子を載置して、底に沈まないようにして見栄えが良いように、また、焼き菓子の載置が安定したものとなるようにしていた。
【考案の開示】
【考案が解決しようとする課題】
【０００８】
しかしながら、この様に、別途、上記まくらを使用して焼き菓子を箱詰めすると、紙箱としての部材の点数が増え、費用がかかり、また、焼き菓子等の箱詰めの際、別途、中箱上に上記まくらを設置するなど手間がかかる。
【０００９】
この考案は、この様な状況に鑑みて為されたもので、焼き菓子等を載置する中箱上に、上記焼き菓子等を係止する舌片を一体に設け、さらに、これらの舌片のうち、最後尾等と成る位置の舌片をその他の舌片よりも、物品を安定して確実に支持出来るように設けた中箱及び当該中箱を用いた紙箱を提供して上記課題を解決するものである。
【課題を解決するための手段】
【００１０】
請求項１の考案は、上面が開口した略直方体形状から成る底箱内に嵌め入れられる、上面が開口した略直方体形状から成る中箱において、上記中箱の底板上に、略逆Ｕ字形状又は半円形状の後方に向いた複数の切り込みを設け、上記複数の切り込みのうち、最後尾にある切り込み上に、当該切り込みの両端部を結ぶ線と略平行な折り目を設け、上記底箱内に嵌め入れた上記中箱に物品を載置する際、上記最後尾の切り込みの両端部を結ぶ線で当該切り込みを谷折りして立ち上げて傾斜舌片を設け、当該傾斜舌片を上記折り目で山折りして折り込んで当該傾斜舌片の後端縁を上記底箱上に当接させて立設し、当該傾斜舌片の上に物品を載置、係止する構成とした中箱とした。
【００１１】
請求項２の考案は、上面が開口した略直方体形状から成る底箱内に嵌め入れられる、上面が開口した略直方体形状から成る中箱において、上記中箱の底板上に、略逆Ｕ字形状又は半円形状の左右の何れかの方向に向いた複数の切り込みを設け、  上記複数の切り込みのうち、左右何れかの最側部にある切り込み上に、当該切り込みの両端部を結ぶ線と略平行な折り目を設け、上記底箱内に嵌め入れた上記中箱に物品を載置する際、上記左右何れかの最側部の切り込みの両端部を結ぶ線で当該切り込みを谷折りして立ち上げて傾斜舌片を設け、当該傾斜舌片を上記折り目で山折りして折り込んで当該傾斜舌片の左又は右側端縁を上記底箱上に当接させて立設し、当該傾斜舌片の上に物品を載置、係止する構成とした中箱とした。
【００１２】
請求項３の考案は、上記中箱上の最後尾又は左右何れかの最側部の切り込みを、その他の切り込みよりも長く設けた上記請求項１又は２に何れかに記載の中箱とした。
【００１３】
請求項４の考案は、上記中箱上の最後尾の切り込みとして、後端縁が当該中箱の底板から当該底板の後方に折り目を介して設けられた後側板上に至る略逆Ｕ字形状又は略半円形状の切り込みを設け、上記切り込み上に、上記底板と上記後側板を分ける上記折り目と同一線上又は略平行線上に折り目を設けた上記請求項１又は３の何れかに記載の中箱とした。
【００１４】
請求項５の考案は、上記中箱上の左右何れかの最側部の切り込みとして、左又は右側端縁が当該中箱の底板から当該左右何れかの側方に折り目を介して設けられた左右何れかの側板上に至る略逆Ｕ字形状又は略半円形状の切り込みを設け、上記切り込み上に、上記底板と左右何れかの側板を分ける上記折り目と同一線上又は略平行線上に折り目を設けた上記請求項２又は３の何れかに記載の中箱とした。
【００１５】
請求項６の考案は、上記傾斜舌片の後端縁を上記底箱の底板と後側板によって形成される角部に突き合わせて当該傾斜舌片を立設する構成とした上記請求項１、３又は４の何れかに記載の中箱とした。
【００１６】
請求項７の考案は、上記傾斜舌片の左又は右側端縁を上記底箱の底板と左右何れかの側板によって形成される角部に突き合わせて当該傾斜舌片を立設する構成とした上記請求項２、３又は５の何れかに記載の中箱とした。
【００１７】
請求項８の考案は、上面が開口した略直方体形状から成る底箱内に嵌め入れられる、上面が開口した略直方体形状から成る中箱において、上記中箱の底板上に、略逆Ｕ字形状又は半円形状の後方に向いた複数の切り込みを設け、上記複数の切り込みのうち、最後尾にある切り込みとして、当該中箱の底板から当該底板の後方に折り目を介して設けられた後側板上に至る、当該中箱の左右の側縁に略平行な相対向する二本の線により上記切り込みを設け、上記二本の切り込みの各両端部を結ぶ、底板と後側板との折り目と略平行な線を夫々折り目として設け、当該切り込み上に、上記底板と上記後側板を分ける上記折り目と同一線上又は略平行線上に折り目を設け、上記二本の切り込みの各両端部を結ぶ線の折り目を夫々谷折りし、当該切り込み上の折り目を山折りして傾斜舌片を設けた中箱とした。
【００１８】
請求項９の考案は、上面が開口した略直方体形状から成る底箱内に嵌め入れられる、上面が開口した略直方体形状から成る中箱において、上記中箱の底板上に、略逆Ｕ字形状又は半円形状の後方に向いた複数の切り込みを設け、上記複数の切り込みのうち、左右何れかの最側部の切り込みとして、当該中箱の底板から当該底板の左右何れかの側方に折り目を介して設けられた左右何れかの側板上に至る、当該中箱の前後の側縁に略平行な相対向する二本の線により上記切り込みを設け、上記二本の切り込みの各両端部を結ぶ、底板と左又は右側板との折り目と略平行な線を夫々折り目として設け、当該切り込み上に、上記底板と左右の側板を分ける上記折り目と同一線上又は略平行線上に折り目を設け、上記二本の切り込みの各両端部を結ぶ線の折り目を夫々谷折りし、当該切り込み上の折り目を山折りして傾斜舌片を設けた中箱とした。
【００１９】
請求項１０の考案は、上記中箱を底箱内に嵌め入れ、その上から蓋箱を被せた上記請求項１、２、３、４、５、６、７、８又は９の何れかに記載の中箱を用いた紙箱とした。
【考案の効果】
【００２０】
請求項１、２、３、４、５、６、７、８、９又は１０の考案によれば、別途、仕切り板やまくらを用意する必要がなく、部材を増やすことがないので、コストの削減となり、焼き菓子等の物品を詰める作業が簡素化され、作業時間の短縮にも通じる。また、中箱上の最後尾等の切り込みとして、上記底板上に略逆Ｕ字形状等の切り込みを設け、当該切り込み上を立ち上げて傾斜舌片の後端縁を底箱上等で支持するようにしたので、接着剤など不要で、迅速かつ容易に組み立てることができ、物品を載置、係止した際、より強固に支持して、底に沈まない。また、見栄えも良く、物品の載置、係止がより安定したものとなる。
【００２１】
特に、請求項４又は５の考案によれば、最後尾等の切り込みとして、後端縁等が当該底板から当該底板の後方等に折り目を介して設けられた後側板等上に至る略逆Ｕ字形状等の切り込みを設け、当該切り込み上に上記底板と後側板等を分ける折り目と同一線上等に折り目を設けたので、当該切り込みによって形成される傾斜舌片を上記請求項１又は２のものより高くする事が出来、焼き菓子等の物品を載置、係止した際、より強固に支持して、底に沈まない。また、見栄えも良く、さらに、物品の載置、係止がより安定したものとなる。
【００２２】
請求項６又７の考案によれば、上記傾斜舌片の後端縁等を底箱の後側板又は左右側板と底板によって形成される角部に突き合わせたので、当該切り込みによって形成される傾斜舌片をより強固に立設する事が出来、焼き菓子等の物品を載置、係止した際、より強固に支持して、底に沈まない。また、見栄えも良く、さらに、物品の載置、係止がより安定したものとなる。
【００２３】
また、請求項８又は９の考案によれば、最後尾等の切り込みとして、底板から当該底板の後方等に折り目を介して設けられた後側板等上に至る当該中箱の左又は右側縁等に略平行な相対向する二本の線を設け、当該二本の切り込みの各両端部を結ぶ線を夫々折り目として設け、当該切り込み上に、上記底板と上記後側板等を分ける上記折り目と同一線上等に折り目を設け、上記二本の切り込みの各両端部を結ぶ線の折り目を夫々谷折りし、当該切り込み上の折り目を山折りして傾斜舌片を設けたので、当該切り込みによって形成される傾斜舌片を上記各請求項のものより高くする事が出来、焼き菓子等の物品を載置、係止した際、より強固に支持して、底に沈まない。また、見栄えも良く、さらに、物品の載置、係止がより安定したものとなる。
【図面の簡単な説明】
【００２４】
【図１】この考案の実施の形態例１の中箱を底箱内に嵌め入れ、この中箱の最後尾の切り込みを起こして傾斜舌片を成し、その上に焼き菓子を載置した状態の斜視図である。
【図２】この考案の実施の形態例１の中箱の展開図である。
【図３】この考案の実施の形態例１の中箱を嵌め入れる底箱の斜視図である。
【図４】この考案の実施の形態例１の中箱を底箱内に嵌め入れた状態の斜視図である。
【図５】この考案の実施の形態例１の中箱を底箱内に嵌め入れた状態の断面図である。
【図６】この考案の実施の形態例１の中箱を底箱内に嵌め入れ、焼き菓子を載置、係止した状態の斜視図である。
【図７】この考案の実施の形態例１の中箱を底箱内に嵌め入れ、さらに他の傾斜舌片の後端縁を底箱上に当接し、立設した状態の断面図である。
【図８】この考案の実施の形態例２の中箱の展開図である。
【図９】この考案の実施の形態例２の中箱を底箱内に嵌め入れ、傾斜舌片を折り込んで立設した状態の断面図である。
【考案を実施するための形態】
【００２５】
（実施の形態例１）
以下、この考案の実施の形態例１の中箱を図に基づいて説明する。この実施の形態例１の中箱Ａは、折畳み紙箱から成る。図２に示す様に、この中箱Ａは、長方形状の底板１の後端縁に折り目ａを介して細幅の長方形状の後側板２を設け、この後側板２の後端縁に折り目ｂを介して後折り込み片３を設けている。
【００２６】
また、この底板１上には、前後方向に三列の切り込みを設けている。左側の列の切り込みは、前後方向に五つ設けられており、前の四つの切り込み４は一定間隔で逆Ｕ字形状に設けられている。さらに、最後尾の切り込み５は、後端縁が上記後側板２上に至り、上記切り込み４のおよそ三倍の縦長の略逆Ｕ字形状であって、この切り込み５上に、上記底板１と上記後側板２を分ける折り目ａと同一線上に折り目ｃを設けている。なお、上記切り込み５の略逆Ｕ字形状には図２に示すように直角な角部を有する形状も含まれる。また、右側の列の切り込み４、５も左側の列と同様に設けている。
【００２７】
中央の列の切り込み６は、一定間隔で、右向きの略半円形状のものが前後方向に三つ設けられている。
【００２８】
また、上記底板１の前端縁に折り目ｄを介して細幅の長方形状の前側板７を設け、この前側板７の前端縁に折り目ｅを介して前折り込み片８を設けている。
【００２９】
上記底板１の左端縁に折り目ｆを介して細幅の長方形状の左側板９を設け、この左側板９の前後の端縁に折り目ｇを介して夫々折り込み舌片１０を設けている。また、上記左側板９の左端縁に折り目ｈを介して左折り込み片１１を設け、この左折り込み片１１の前後の端縁に折り目ｉを介して夫々折り込み舌片１２を設けている。
【００３０】
上記底板１の右端縁に折り目ｊを介して細幅の長方形状の右側板１３を設け、この右側板１３の前後の端縁に折り目ｋを介して夫々折り込み舌片１４を設けている。また、上記右側板１３の右端縁に折り目ｍを介して右折り込み片１５を設け、この右折り込み片１５の前後の端縁に折り目ｎを介して夫々折り込み舌片１６を設けている。
【００３１】
次に、この中箱Ａを組み立てる。
上記後側板２を折り目ａを介して谷折りして立ち上げ、上記後折り込み片３を折り目ｂを介して山折りして折り込む。同様に、上記前側板７を折り目ｄを介して谷折りして立ち上げ、上記前折り込み片８を折り目ｅを介して山折りして折り込む。これにより、後側板２は外側に後折り込み片３が重ねられて底板１の後端に立設される。また、前側板７は外側に前折り込み片８が重ねられて底板１の前端に立設される。
【００３２】
また、上記左側板９を折り目ｆを介して谷折りして立ち上げ、上記左折り込み片１１を折り目ｈを介して山折りして折り込み、これらの左側板９と左折り込み片１１を重ね合わせる。この時、これら左側板９と左折り込み片１１の裏面を貼り付けておくと後の作業が行い易い。さらに、左側板９と左折り込み片１１の前後の折り込み舌片１０、１２を重ねて折り目ｇ、ｉにより山折りして折り込み、上記後側板２と後折り込み片３の間及び上記前側板７と前折り込み片８の間に入れて係止する。上記右側板１３、右折り込み片１５及び折り込み舌片１４、１６も同様に山折り又は谷折りして、折り込み舌片１４、１６を上記後側板２と後折り込み片３の間及び上記前側板７と前折り込み片８の間に入れて係止する。これにより、底板１の前後端及び左右端に前側板７、後側板２、左側板９及び右側板１３を立ち上げる。
【００３３】
続いて、上記切り込み４を当該切り込み４の両端部を結ぶ線で谷折りして立ち上げて複数の舌片４ａを形成し、立設する。また、上記切り込み５の両端部を結ぶ線で谷折りして立ち上げ、さらに、この切り込み５を折り目ｃによって山折りして折り込んで後端縁５ａを立設し、傾斜舌片５ｂを形成する。また、上記切り込み６の両端部を結ぶ線で谷折して折り上げて複数の舌片６ａを形成し、立設する。この様にして、中箱Ａを形成する。
【００３４】
この様にして形成された中箱Ａを、図３に示すような、上面が開口した直方体形状の底箱Ｂの上から嵌め入れる。ここでは、蓋箱、中箱Ａ及び底箱Ｂとして、印籠型の紙箱を使用する。図４に示すように、中箱Ａの後側板２、前側板７、左右の側板９、１３の高さは、底箱Ｂの後側板、前側板、左右の側板の高さより一段高いものとなっている。
【００３５】
この様に中箱Ａを底箱Ｂに嵌め入れると、上記傾斜舌片５ｂの後端縁５aは、丁度、底箱Ａの後端の底板と後側板によって形成される角部に係止されるかたちと成り、接着剤など不要で、容易かつ確実に支持される。この状態の断面図を図５に示す。
【００３６】
図１及び図６に示すように、複数の上記焼き菓子Ｄを最後尾の傾斜舌片５ｂの上から舌片４ａ上に順に載置、係止する。これにより、中箱Ａの最後尾に位置する傾斜舌片５ｂの上に焼き菓子Ｄを載置、係止しても上記傾斜舌片５ｂがしっかりと当該焼き菓子Ｄを支持して、底に沈まない。また、見栄えも良く、さらに、焼き菓子Ｄの載置、係止が安定したものとなっている。焼き菓子Ｄを全て載置し終わったら、この上から蓋箱（図示省略）を被せる。
【００３７】
この様に、この実施の形態例の中箱Ａを用いると、別途、仕切り板やまくらを用意する必要がなく、構成要素である部材を増やすことないので、コストの削減となり、焼き菓子を詰める作業が簡素化され、作業時間の短縮にも通じるものである。
【００３８】
また、上記実施の形態例１では、最後尾の切り込み５として後端縁５aが上記後側板２上に至り、この切り込み５上にも、上記底板１と上記後側板２を分ける折り目ａと同一線上に折り目ｃを設け、後端縁５aを底箱Ｂの角部に係止されるものを使用しているが、この他に、切り込み５の後端縁５ａが上記後側板２まで至らない底板１上までのものを使用することも出来る。
【００３９】
この場合、図７に示す様に、切り込み１７の後端縁１７ａは略垂直に又はやや鋭角状に折り曲げて底箱Ｂの底板上に当接させると、焼き菓子Ｄを傾斜舌片１７ｄ上に載置した際、底箱Ｂ上に容易かつ確実に支持することが出来る。
【００４０】
（実施の形態例２）
さらに、続いて、実施の形態例２を説明する。
ここでは、上記中箱Ｅ上の最後尾の切り込みとして、図８に示すように、この中箱Ｅの底板１からこの底板１の後方に折り目ａを介して設けられた後側板２上に至るこの底板１の左右の側縁に略平行な相対向する二本の線から成る切り込み１８を設け、これらの二本の線から成る切り込み１８の各両端部を結ぶ線を夫々折り目ｏとして設けている。この折り目ｏは上記折り目ａと略平行となっている。また、これらの切り込み１８上に上記底板１と上記後側板２を分ける上記折り目ａと同一線上に折り目ｐを設ける。その他の構成は上記中箱Ａと同一である。そして、この中箱Ｅを組み立てると、図９に示すように、上記切り込み１８の各両端部を結ぶ線の折り目ｏを夫々谷折りし、この切り込み１８上の折り目ｐを山折りして傾斜舌片１８ａを設ける。
【００４１】
これにより、上記実施の形態例１の傾斜舌片５ｂ、１７ｄと同様に、焼き菓子Ｄを傾斜舌片１８ａ上に載置した際、接着剤など不要で、底箱Ｂの底板上に容易かつ確実に支持することが出来、底に沈まない。また、見栄えも良く、さらに、物品の載置、係止がより安定したものとなる。
【００４２】
また、この切り込み１８を中箱Ｅの最後尾ではなく、図８に示すように、中箱Ｅの底板１上の右側又は左側に設けても良い（図８では、右側の手前に設けている。）。ただ、この場合、底板１上の、右側板１３又は左側板９に隣接する箇所から右側板１３又は左側板９に至る切り込み１９を設ける。
【００４３】
設け方は、上記切り込み１８とほぼ同様であるが、右側に設ける場合、切り込み１９は、底板１からこの底板１の右側に折り目ｊを介して設けられた右側板１３上に至るこの底板１の前後の側縁に略平行な相対向する二本の線から成る切り込み１９を設け、これらの線から成る切り込み１９の各両端部を結ぶ線を夫々折り目ｑとして設けている。これらの折り目ｑは折り目ｊと略平行である。また、これらの切り込み１９上に上記底板１と上記右側板１３を分ける上記折り目ｊと同一線上に折り目ｒを設ける。傾斜舌片１９ａの設け方は、上記傾斜舌片１８aと同様である。
【００４４】
上記実施の形態例では、印籠型の紙箱に中箱Ａ又はＥを使用しているが、この実施例の中箱Ａ又はＥを使用するのは印籠型の紙箱に限らず、他の箱や容器に使用してももちろん良いものである。また、中箱Ａ又はＥの構成を具体的に記載しているが、上面が開口した略直方体形状の底箱内に嵌め入れられ、底板１上に切り込み４及び５等を設けることが出来るならば具体的な構成は実施の形態例に限定するものではない。
【００４５】
また、上記実施の形態例２において、切り込み１９を中箱Ｅの最後尾ではなく、中箱Ｅの底板１上の右側又は左側に設けているが、上記実施の形態例１の切り込み５についても、これらと同様に、中箱Ａの底板１上の右側又は左側に設けても良い。さらに、折り目ｃ、ｐ及びｒは、折り目ａやｊ上でなくても略平行であれば良い。
【００４６】
また、上記実施の形態例では、焼き菓子Ｄを使って説明しているが、この中箱Ａ又はＥに載置、係止するのは、焼き菓子Ｄに限らず、載置、係止出来るものならもちろん他の物品でも良い。
【符号の説明】
【００４７】
Ａ    中箱            Ｂ    底箱              Ｅ    中箱
Ｄ    焼き菓子
１    底板            ２    後側板            ３    後折り込み片
４    切り込み        ４ａ  舌片              ５    切り込み
５ａ  後端縁          ５ｂ  傾斜舌片          ６    切り込み
７    前側板          ８    前折り込み片      ９    左側板
１０    折り込み片    １１    左折り込み片    １２    折り込み片
１３    右側板        １４    折り込み片      １５    右折り込み片
１６    折り込み片    １７    切り込み        １７ａ 後端縁
１７ｂ  傾斜舌片      １８    切り込み        １８ａ  傾斜舌片
１９    切り込み      １９a  傾斜舌片
【図１】
0003198090.tif 000003
【図２】
0003198090.tif 000004
【図３】
0003198090.tif 000005
【図４】
0003198090.tif 000006
【図５】
0003198090.tif 000007
【図６】
0003198090.tif 000008
【図７】
0003198090.tif 000009
【図８】
0003198090.tif 000010
【図９】
0003198090.tif 000011
【手続補正書】
【提出日】平成27年4月9日(2015.4.9)
【手続補正１】
【補正対象書類名】実用新案登録請求の範囲
【補正対象項目名】請求項８
【補正方法】変更
【補正の内容】
【請求項８】
上面が開口した略直方体形状から成る底箱内に嵌め入れられる、上面が開口した略直方体形状から成る中箱において、
上記中箱の底板上に、略逆Ｕ字形状又は半円形状の後方に向いた複数の切り込みを設け、
上記複数の切り込みとは別に、
当該中箱の底板から当該底板の後方に折り目を介して設けられた後側板上に至る、当該中箱の左右の側縁に略平行な相対向する二本の線により上記切り込みを設け、
上記二本の切り込みの各両端部を結ぶ、底板と後側板との折り目と略平行な線を夫々折り目として設け、
当該切り込み上に、上記底板と上記後側板を分ける上記折り目と同一線上又は略平行線上に折り目を設け、
上記二本の切り込みの各両端部を結ぶ線の折り目を夫々谷折りし、当該切り込み上の折り目を山折りして傾斜舌片を設けたことを特徴とする、中箱。
【手続補正２】
【補正対象書類名】実用新案登録請求の範囲
【補正対象項目名】請求項９
【補正方法】変更
【補正の内容】
【請求項９】
上面が開口した略直方体形状から成る底箱内に嵌め入れられる、上面が開口した略直方体形状から成る中箱において、
上記中箱の底板上に、略逆Ｕ字形状又は半円形状の後方に向いた複数の切り込みを設け、
上記複数の切り込みとは別に、
当該中箱の底板から当該底板の左右何れかの側方に折り目を介して設けられた左右何れかの側板上に至る、
当該中箱の前後の側縁に略平行な相対向する二本の線により上記切り込みを設け、
上記二本の切り込みの各両端部を結ぶ、底板と左又は右側板との折り目と略平行な線を夫々折り目として設け、
当該切り込み上に、上記底板と左右の側板を分ける上記折り目と同一線上又は略平行線上に折り目を設け、
上記二本の切り込みの各両端部を結ぶ線の折り目を夫々谷折りし、当該切り込み上の折り目を山折りして傾斜舌片を設けたことを特徴とする、中箱。
【手続補正３】
【補正対象書類名】明細書
【補正対象項目名】００１７
【補正方法】変更
【補正の内容】
【００１７】
請求項８の考案は、上面が開口した略直方体形状から成る底箱内に嵌め入れられる、上面が開口した略直方体形状から成る中箱において、上記中箱の底板上に、略逆Ｕ字形状又は半円形状の後方に向いた複数の切り込みを設け、上記複数の切り込みとは別に、当該中箱の底板から当該底板の後方に折り目を介して設けられた後側板上に至る、当該中箱の左右の側縁に略平行な相対向する二本の線により上記切り込みを設け、上記二本の切り込みの各両端部を結ぶ、底板と後側板との折り目と略平行な線を夫々折り目として設け、当該切り込み上に、上記底板と上記後側板を分ける上記折り目と同一線上又は略平行線上に折り目を設け、上記二本の切り込みの各両端部を結ぶ線の折り目を夫々谷折りし、当該切り込み上の折り目を山折りして傾斜舌片を設けた中箱とした。
【手続補正４】
【補正対象書類名】明細書
【補正対象項目名】００１８
【補正方法】変更
【補正の内容】
【００１８】
請求項９の考案は、上面が開口した略直方体形状から成る底箱内に嵌め入れられる、上面が開口した略直方体形状から成る中箱において、上記中箱の底板上に、略逆Ｕ字形状又は半円形状の後方に向いた複数の切り込みを設け、上記複数の切り込みとは別に、当該中箱の底板から当該底板の左右何れかの側方に折り目を介して設けられた左右何れかの側板上に至る、当該中箱の前後の側縁に略平行な相対向する二本の線により上記切り込みを設け、上記二本の切り込みの各両端部を結ぶ、底板と左又は右側板との折り目と略平行な線を夫々折り目として設け、当該切り込み上に、上記底板と左右の側板を分ける上記折り目と同一線上又は略平行線上に折り目を設け、上記二本の切り込みの各両端部を結ぶ線の折り目を夫々谷折りし、当該切り込み上の折り目を山折りして傾斜舌片を設けた中箱とした。